(57)【要約】【課題】非表示にすべき画像が表示されてしまうことを抑制可能な画像表示装置、プロジェクタ、及び画像表示装置の制御方法を提供する。【解決手段】記憶部２１には、入力画像の表示や音声の出力が停止した状態であるか否か、即ちプロジェクタ１がＡ／Ｖミュート状態か通常状態かを示すミュート情報２１ａが記憶されている。このミュート情報２１ａは、画像入力端子３１ａ別に記憶されており、ミュートキーが操作されて通常状態とＡ／Ｖミュート状態とが切り換わる度に更新される。更新されたミュート情報２１ａは、ユーザによって入力切換キーが操作された際に参照される。プロジェクタ１は、入力切換キーが操作されて画像入力端子３１ａが指定されると、画像入力端子３１ａ及び音声入力端子３１ｂの切り換えに先立ち、記憶部２１に記憶されているミュート情報２１ａに基づいて、Ａ／Ｖミュート状態又は通常状態への切り換えを行う。【選択図】図１
2009271226.tif 000002
【特許請求の範囲】
【請求項１】
画像信号が入力される複数の画像入力端子と、
入力操作がなされる入力操作部と、
前記入力操作部になされた入力操作に基づいて、前記複数の画像入力端子の中からいずれか１つを選択する画像入力選択部と、
前記画像入力選択部が選択した画像入力端子に入力されている画像信号に基づく画像を表示する画像表示部と、
前記入力操作部になされた入力操作に基づいて、前記画像表示部により前記画像の表示が行われる通常状態と、前記画像表示部による前記画像の表示を停止する画像ミュート状態とを切り換える制御部と、
前記制御部によって前記画像ミュート状態に切り換えられたか否かを示すミュート情報を前記画像入力端子別に記憶する記憶部と、
を備え、
前記制御部は、前記画像入力選択部が前記画像入力端子を選択する際に、前記記憶部に記憶されている前記ミュート情報に基づいて、前記通常状態と前記画像ミュート状態とを切り換えることを特徴とする画像表示装置。
【請求項２】
請求項１に記載の画像表示装置であって、
前記制御部は、前記通常状態と前記画像ミュート状態とを切り換える際に、前記画像入力選択部で選択されている画像入力端子に関する前記ミュート情報を更新し、前記画像入力選択部が前記画像入力端子を選択する際には、新たに選択する画像入力端子に関する前記ミュート情報に基づいて、前記通常状態と前記画像ミュート状態とを切り換えることを特徴とする画像表示装置。
【請求項３】
請求項１又は２に記載の画像表示装置であって、
前記複数の画像入力端子にそれぞれ対応し、前記画像信号に対応する音声信号が入力される複数の音声入力端子と、
前記画像入力選択部が前記画像入力端子を選択する際に、前記複数の音声入力端子のうち、前記画像入力選択部が選択する前記画像入力端子に対応する音声入力端子を選択する音声入力選択部と、
前記音声入力選択部が選択した音声入力端子に入力されている音声信号に基づく音声を出力する音声出力部と、
をさらに備え、
前記制御部は、前記画像ミュート状態に切り換える際に、前記画像表示部による前記画像の表示とともに前記音声出力部による前記音声の出力をも停止させることを特徴とする画像表示装置。
【請求項４】
画像信号が入力される複数の画像入力端子と、
入力操作がなされる入力操作部と、
前記入力操作部になされた入力操作に基づいて、前記複数の画像入力端子の中からいずれか１つを選択する画像入力選択部と、
前記画像入力選択部が選択した画像入力端子に入力されている画像信号に基づく画像を投写する画像投写部と、
前記入力操作部になされた入力操作に基づいて、前記画像投写部により前記画像の投写が行われる通常状態と、前記画像投写部による前記画像の投写を停止する画像ミュート状態とを切り換える制御部と、
前記制御部によって前記画像ミュート状態に切り換えられたか否かを示すミュート情報を前記画像入力端子別に記憶する記憶部と、
を備え、
前記制御部は、前記画像入力選択部が前記画像入力端子を選択する際に、前記記憶部に記憶されている前記ミュート情報に基づいて、前記通常状態と前記画像ミュート状態とを切り換えることを特徴とするプロジェクタ。
【請求項５】
画像信号が入力される複数の画像入力端子と、前記複数の画像入力端子の中からいずれか１つを選択する画像入力選択部と、前記画像入力選択部が選択した画像入力端子に入力されている画像信号に基づく画像を表示する画像表示部と、を備え、前記画像表示部により前記画像の表示が行われる通常状態及び前記画像表示部による前記画像の表示を停止する画像ミュート状態を切り換え可能な画像表示装置の制御方法であって、
前記通常状態又は前記画像ミュート状態に切り換えるための入力操作を受け付けるミュート操作ステップと、
前記ミュート操作ステップで受け付けた前記入力操作に基づいて、前記通常状態又は前記画像ミュート状態に切り換える第１のミュート切換ステップと、
前記ミュート操作ステップで受け付けた前記入力操作に基づいて、前記画像ミュート状態に切り換えられたか否かを示すミュート情報を前記画像入力端子別に更新するミュート情報更新ステップと、
前記複数の画像入力端子の中からいずれか１つを選択するための入力操作を受け付ける入力選択操作ステップと、
前記入力選択操作ステップで新たに選択された画像入力端子に関する前記ミュート情報に基づいて、前記通常状態と前記画像ミュート状態とを切り換える第２のミュート切換ステップと、
前記入力選択操作ステップで受け付けた前記入力操作に基づいて、前記画像入力選択部が前記画像入力端子を選択する入力選択ステップと、
を備えたことを特徴とする画像表示装置の制御方法。
【発明の詳細な説明】
【技術分野】
【０００１】
本発明は、入力される画像信号に応じた画像を表示する画像表示装置、プロジェクタ、及び画像表示装置の制御方法に関する。
【背景技術】
【０００２】
外部から入力される画像信号に応じた画像（入力画像）を表示する画像表示装置（例えば、プロジェクタ）において、入力画像の表示を一時的に停止させる画像ミュート機能を備えたものが知られている（例えば、特許文献１参照）。この画像ミュート機能は、例えば、プレゼンテーションを行っている際、複数のページ（画像）を含んだプレゼンテーション用資料の中に、聴衆への開示が不適切なページ（機密情報等が記載されたページ）が含まれる場合に、このページが表示されてしまうことを防ぐ等の目的で利用される。特許文献１に記載の画像表示装置では、ユーザは、画像ミュートを指示することにより、入力画像の代わりに黒色画像等を表示させることが可能になっている。
【０００３】
ここで、画像表示装置が、画像信号を入力するための入力端子を複数備え、複数の入力画像を切り換えて表示可能な場合には、入力画像（第１の入力画像）の表示を画像ミュート機能により停止させて黒色画像等を表示する代わりに、他の入力端子からの入力画像（第２の入力画像）を表示させることが可能となる。この場合には、黒色画像等を表示する場合に比べて、ユーザを退屈させてしまうことが抑制されるうえ、プレゼンテーションに関連する画像を第２の入力画像として表示すれば、これを利用した補足的な説明を行うことも可能となる。
【０００４】
【特許文献１】特開２００３−２８００８７号公報
【発明の開示】
【発明が解決しようとする課題】
【０００５】
しかしながら、画像ミュートを機能させていない状態では、入力画像を切り換える操作（入力切換操作）を行っているとき等に、誤って不適切なページを表示させてしまう事態が生じうる。仮に、第１の入力画像を表示している際に画像ミュートを機能させたとしても、第２の入力画像を表示すべく入力切換操作がなされた際には、画像ミュートが解除されてしまうのが一般的である。たとえ入力切換操作の後も画像ミュートが継続するとしても、第２の入力画像を表示するためには、ユーザが自ら画像ミュートを解除しなければならない。つまり、第２の入力画像を表示している際には、画像ミュートが機能していないことになるため、非表示にすべき画像を表示させてしまう恐れを回避することはできない。
【課題を解決するための手段】
【０００６】
本発明は、上述の課題の少なくとも一部を解決するためになされたものであり、以下の形態又は適用例として実現することが可能である。
【０００７】
［適用例１］本適用例に係る画像表示装置は、画像信号が入力される複数の画像入力端子と、入力操作がなされる入力操作部と、前記入力操作部になされた入力操作に基づいて、前記複数の画像入力端子の中からいずれか１つを選択する画像入力選択部と、前記画像入力選択部が選択した画像入力端子に入力されている画像信号に基づく画像を表示する画像表示部と、前記入力操作部になされた入力操作に基づいて、前記画像表示部により前記画像の表示が行われる通常状態と、前記画像表示部による前記画像の表示を停止する画像ミュート状態とを切り換える制御部と、前記制御部によって前記画像ミュート状態に切り換えられたか否かを示すミュート情報を前記画像入力端子別に記憶する記憶部と、を備え、前記制御部は、前記画像入力選択部が前記画像入力端子を選択する際に、前記記憶部に記憶されている前記ミュート情報に基づいて、前記通常状態と前記画像ミュート状態とを切り換えることを特徴とする。
【０００８】
この画像表示装置によれば、記憶部は、画像ミュート状態に切り換えられたか否かを示すミュート情報を画像入力端子別に記憶しており、画像入力選択部が画像入力端子を選択する際、制御部は、このミュート情報に基づいて通常状態と画像ミュート状態とを切り換える。つまり、画像入力選択部が新たな画像入力端子を選択する際には、以前この画像入力端子が選択されていたときの状態が再現することになる。このため、所望の画像入力端子を予め画像ミュート状態に切り換えておけば、この画像入力端子が画像入力選択部に選択された場合であっても、この画像入力端子に入力される画像信号に基づく画像が表示されてしまうことがなくなる。
【０００９】
［適用例２］上記適用例に係る画像表示装置において、前記制御部は、前記通常状態と前記画像ミュート状態とを切り換える際に、前記画像入力選択部で選択されている画像入力端子に関する前記ミュート情報を更新し、前記画像入力選択部が前記画像入力端子を選択する際には、新たに選択する画像入力端子に関する前記ミュート情報に基づいて、前記通常状態と前記画像ミュート状態とを切り換えることが望ましい。
【００１０】
［適用例３］上記適用例に係る画像表示装置において、前記複数の画像入力端子にそれぞれ対応し、前記画像信号に対応する音声信号が入力される複数の音声入力端子と、前記画像入力選択部が前記画像入力端子を選択する際に、前記複数の音声入力端子のうち、前記画像入力選択部が選択する前記画像入力端子に対応する音声入力端子を選択する音声入力選択部と、前記音声入力選択部が選択した音声入力端子に入力されている音声信号に基づく音声を出力する音声出力部と、をさらに備え、前記制御部は、前記画像ミュート状態に切り換える際に、前記画像表示部による前記画像の表示とともに前記音声出力部による前記音声の出力をも停止させることが望ましい。
【００１１】
この画像表示装置によれば、画像ミュート状態となって画像の表示が停止する際に音声の出力も停止するため、特定の入力画像の表示を停止している際に、この入力画像に対応する音声が出力されてしまうことがなくなる。
【００１２】
［適用例４］本適用例に係るプロジェクタは、画像信号が入力される複数の画像入力端子と、入力操作がなされる入力操作部と、前記入力操作部になされた入力操作に基づいて、前記複数の画像入力端子の中からいずれか１つを選択する画像入力選択部と、前記画像入力選択部が選択した画像入力端子に入力されている画像信号に基づく画像を投写する画像投写部と、前記入力操作部になされた入力操作に基づいて、前記画像投写部により前記画像の投写が行われる通常状態と、前記画像投写部による前記画像の投写を停止する画像ミュート状態とを切り換える制御部と、前記制御部によって前記画像ミュート状態に切り換えられたか否かを示すミュート情報を前記画像入力端子別に記憶する記憶部と、を備え、前記制御部は、前記画像入力選択部が前記画像入力端子を選択する際に、前記記憶部に記憶されている前記ミュート情報に基づいて、前記通常状態と前記画像ミュート状態とを切り換えることを特徴とする。
【００１３】
このプロジェクタによれば、記憶部は、画像ミュート状態に切り換えられたか否かを示すミュート情報を画像入力端子別に記憶しており、画像入力選択部が画像入力端子を選択する際、制御部は、このミュート情報に基づいて通常状態と画像ミュート状態とを切り換える。つまり、画像入力選択部が新たな画像入力端子を選択する際には、以前この画像入力端子が選択されていたときの状態が再現することになる。このため、所望の画像入力端子を予め画像ミュート状態に切り換えておけば、この画像入力端子が画像入力選択部に選択された場合であっても、この画像入力端子に入力される画像信号に基づく画像が表示されてしまうことがなくなる。
【００１４】
［適用例５］本適用例に係る画像表示装置の制御方法は、画像信号が入力される複数の画像入力端子と、前記複数の画像入力端子の中からいずれか１つを選択する画像入力選択部と、前記画像入力選択部が選択した画像入力端子に入力されている画像信号に基づく画像を表示する画像表示部と、を備え、前記画像表示部により前記画像の表示が行われる通常状態及び前記画像表示部による前記画像の表示を停止する画像ミュート状態を切り換え可能な画像表示装置の制御方法であって、前記通常状態又は前記画像ミュート状態に切り換えるための入力操作を受け付けるミュート操作ステップと、前記ミュート操作ステップで受け付けた前記入力操作に基づいて、前記通常状態又は前記画像ミュート状態に切り換える第１のミュート切換ステップと、前記ミュート操作ステップで受け付けた前記入力操作に基づいて、前記画像ミュート状態に切り換えられたか否かを示すミュート情報を前記画像入力端子別に更新するミュート情報更新ステップと、前記複数の画像入力端子の中からいずれか１つを選択するための入力操作を受け付ける入力選択操作ステップと、前記入力選択操作ステップで新たに選択された画像入力端子に関する前記ミュート情報に基づいて、前記通常状態と前記画像ミュート状態とを切り換える第２のミュート切換ステップと、前記入力選択操作ステップで受け付けた前記入力操作に基づいて、前記画像入力選択部が前記画像入力端子を選択する入力選択ステップと、を備えたことを特徴とする。
【００１５】
この画像表示装置の制御方法によれば、画像ミュート状態に切り換えられたか否かを示すミュート情報を画像入力端子別に更新し、画像入力端子を選択するための入力操作がなされた場合には、このミュート情報に基づいて通常状態と画像ミュート状態とを切り換える。つまり、画像入力選択部が新たな画像入力端子を選択する際には、以前この画像入力端子が選択されていたときの状態が再現することになる。このため、所望の画像入力端子を予め画像ミュート状態に切り換えておけば、この画像入力端子が画像入力選択部に選択された場合であっても、この画像入力端子に入力される画像信号に基づく画像が表示されてしまうことがなくなる。
【００１６】
また、上述した画像表示装置及びその制御方法が画像表示装置に備えられたコンピュータを用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、画像表示装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００１７】
以下、画像表示装置の一例として、入力される画像信号に基づく画像（以降、「入力画像」という。）を投写して、スクリーンや壁面等の投写面にこの入力画像を表示するプロジェクタについて説明する。本実施形態のプロジェクタは、画像信号が入力される画像入力端子を複数備えており、ユーザは、この中から１つの画像入力端子を指定することにより、表示すべき入力画像を切り換えることができる。また、本実施形態のプロジェクタは、ユーザの指示に応じて、入力画像の表示の一時的な停止と再開とを切り換えることも可能になっている。
【００１８】
図１は、本実施形態のプロジェクタの概略構成を示すブロック図である。
図１に示すように、プロジェクタ１は、画像投写部１０、制御部２０、記憶部２１、操作パネル２２、リモコン２３、操作信号受信部２４、画像音声入力部３１、画像入力選択部３２、音声入力選択部３３、画像処理部３４、音声処理部３５、音声出力部３６、スピーカ３７等で構成されている。
【００１９】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、画像表示部として機能するものであり、光源１１から射出された光を液晶ライトバルブ１２Ｒ，１２Ｇ，１２Ｂで変調して画像を形成し、この画像を投写レンズ１３から投写することによって投写面Ｓに画像を表示する。
【００２０】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２１】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像信号に応じた駆動電圧を各画素に印加すると、各画素は、画像信号に応じた光透過率に設定される。このため、光源１１から射出された光は、この液晶ライトバルブ１２Ｒ，１２Ｇ，１２Ｂを透過することによって変調され、画像信号に応じた画像が色光毎に形成される。形成された各色の画像は、図示しない色合成光学系によって画素毎に合成されてカラー画像となった後、投写レンズ１３から拡大投写される。
【００２２】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００２３】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。本実施形態の記憶部２１には、入力画像の表示や音声の出力が停止した状態であるか否かを表すミュート情報２１ａが記憶されている（詳しくは後述する）。
【００２４】
操作パネル２２及びリモコン２３は、ユーザからの入力操作を受け付ける入力操作部に相当するものであり、ユーザがプロジェクタ１に対して各種指示を行うための複数の操作キーを備えている。操作パネル２２及びリモコン２３が備える操作キーとしては、電源のオンとオフとを切り換えるための「電源キー」、表示すべき入力画像を切り換えるための「入力切換キー」、画像の表示と音声の出力を一時的に停止させる「ミュートキー」等がある。ユーザが操作パネル２２の各種操作キーを操作すると、操作パネル２２は、ユーザの操作内容に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００２５】
画像音声入力部３１には、複数の画像入力端子３１ａと、各画像入力端子３１ａにそれぞれ対応する複数の音声入力端子３１ｂとが備えられ、ＰＣ（パーソナルコンピュータ）やＤＶＤ（Digital Versatile Disc）再生装置等、図示しない外部の画像音声供給装置から画像信号及び音声信号がケーブルを介して供給される。画像音声入力部３１は、画像入力端子３１ａに入力される画像信号を画像入力選択部３２に出力し、音声入力端子３１ｂに入力される音声信号を音声入力選択部３３に出力する。
【００２６】
画像入力選択部３２は、複数の画像入力端子３１ａのうち、制御部２０の指示に基づく１つの画像入力端子３１ａを選択し、この画像入力端子３１ａに入力される画像信号を画像処理部３４に出力する。また、音声入力選択部３３は、複数の音声入力端子３１ｂのうち、制御部２０の指示に基づく１つの音声入力端子３１ｂを選択し、この音声入力端子３１ｂに入力される音声信号を音声処理部３５に出力する。
【００２７】
ユーザは、操作パネル２２又はリモコン２３に備わる入力切換キーを操作することによって、所望の画像入力端子３１ａを指定することができる。ユーザによって１つの画像入力端子３１ａが指定されると、制御部２０は、この画像入力端子３１ａを画像入力選択部３２に選択させるとともに、指定された画像入力端子３１ａに対応する音声入力端子３１ｂを音声入力選択部３３に選択させる。なお、入力切換キーよって画像入力端子３１ａを指定する態様は、１つの入力切換キーを繰り返し操作することによって、指定すべき画像入力端子３１ａを順次切り換える態様であってもよいし、各画像入力端子３１ａにそれぞれ対応する複数の入力切換キーを備えて、操作する入力切換キーによって画像入力端子３１ａを指定する態様であってもよい。
【００２８】
画像処理部３４は、画像入力選択部３２から入力される画像信号を、液晶ライトバルブ１２Ｒ，１２Ｇ，１２Ｂの各画素の階調を表す画像情報に変換する。ここで、変換された画像情報は、Ｒ、Ｇ、Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部３４は、制御部２０の指示に基づき、変換した画像情報に対して、明るさ、コントラスト、シャープネス、色合い等を調整するための画質調整処理等を行い、処理後の画像情報をライトバルブ駆動部１４に出力する。
【００２９】
さらに、画像処理部３４は、制御部２０の指示に基づいて、すべての画素の光透過率が最小となるように、すべての画素値を最小値（０）に設定する処理を行うことができる。この場合、ライトバルブ駆動部１４には、すべての画素値が０に設定された画像情報、即ち黒色の無地画像を表す画像情報が出力される。このように、画像処理部３４は、入力画像を表す画像情報を出力する状態と、黒色の無地画像を表す画像情報を出力する状態とを、制御部２０の指示の応じて切り換えることができる。
【００３０】
ライトバルブ駆動部１４が、画像処理部３４から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３１】
音声処理部３５は、制御部２０の指示に基づいて、音声入力選択部３３から入力される音声信号に、その出力特性を調整するための処理（例えば、音質調整処理等）を施す。音声処理部３５で調整処理がされた音声信号は、音声出力部３６に出力される。
【００３２】
音声出力部３６は、図示しない増幅回路等を備えており、音声処理部３５で調整処理がなされた音声信号に基づく音声をスピーカ３７から出力する。
【００３３】
次に、プロジェクタ１の動作について説明する。
プロジェクタ１に商用電源が投入され、操作パネル２２又はリモコン２３の電源キーが操作されると、プロジェクタ１が起動し、制御部２０は、記憶部２１に記憶されている制御プログラムに従った動作を開始する。そして、制御部２０が画像の表示及び音声の出力を開始するための指示を各部に行うと、画像音声供給装置から入力される画像信号に応じた画像（入力画像）が画像投写部１０から投写され、画像音声供給装置から入力される音声信号に応じた音声がスピーカ３７から出力される。なお、入力画像が表示されて音声が出力されている状態を、本明細書では、通常状態と呼ぶ。
【００３４】
この状態で、ユーザは、操作パネル２２又はリモコン２３に備わるミュートキーを操作することにより、光源１１を点灯させたままの状態で入力画像の表示を一時的に停止させるとともに、音声の出力を一時的に停止させることができる。このように、入力画像の表示が停止した状態（画像ミュート状態）且つ音声の出力が停止した状態（音声ミュート状態）を、本明細書では、Ａ／Ｖミュート状態と呼ぶ。ミュートキーが操作されてＡ／Ｖミュート状態となった後、ユーザが再度ミュートキーを操作すると、Ａ／Ｖミュート状態は解除されて通常状態に復帰し、入力画像の表示と音声の出力が再開する。
【００３５】
ここで、前述したように、本実施形態の記憶部２１には、入力画像の表示や音声の出力が停止した状態であるか否か、即ちプロジェクタ１がＡ／Ｖミュート状態か通常状態かを示すミュート情報２１ａが記憶されている。本実施形態において、このミュート情報２１ａは、画像入力端子３１ａ別に記憶されており、初期状態（起動直後の状態）では、すべての画像入力端子３１ａのミュート情報２１ａが通常状態に設定されている。そして、ミュート情報２１ａは、ミュートキーが操作されて通常状態とＡ／Ｖミュート状態とが切り換わる度に更新される。
【００３６】
図２は、ミュートキーが操作された際のプロジェクタ１の動作を説明するためのフローチャートである。ユーザが、Ａ／Ｖミュート状態と通常状態とを切り換えるべく操作パネル２２又はリモコン２３のミュートキーを操作し、この操作に応じた操作信号が制御部２０に入力されると、制御部２０は、図２に示すフローに従って動作する。
【００３７】
図２に示すように、ステップＳ１０１では、制御部２０は、自らが備えるフラグを参照して、現在のプロジェクタ１の状態がＡ／Ｖミュート状態であるか否かを判断する。そして、Ａ／Ｖミュート状態の場合にはステップＳ１０５に移行し、Ａ／Ｖミュート状態ではない通常状態の場合にはステップＳ１０２に移行する。なお、上記のフラグは、選択されている画像入力端子３１ａを問わず、現在の状態がＡ／Ｖミュート状態か通常状態かを記憶するものであり、画像入力端子３１ａ別の状態を記憶するミュート情報２１ａとは異なる。ただし、ステップＳ１０１において、フラグを参照する代わりに、現在画像入力選択部３２で選択されている画像入力端子３１ａのミュート情報２１ａを参照することにより、現在のプロジェクタ１の状態を判断することも可能である。
【００３８】
通常状態でミュートキーが操作され、ステップＳ１０２に移行した場合には、制御部２０は、画像処理部３４に指示をして、入力画像の代わりに、黒色の無地画像を表す画像情報を出力させ、プロジェクタ１を画像ミュート状態に切り換えさせる。画像処理部３４は、制御部２０の指示に応じて、すべての画素の光透過率が最小となるように、画像情報に含まれるすべての画素値を最小値（０）に設定する。これにより、プロジェクタ１は、入力画像の表示を停止させ、画像投写部１０から光がほとんど照射されない状態、即ち画像投写部１０が投写面Ｓに黒色の無地画像を表示させた状態となる。
【００３９】
続くステップＳ１０３では、制御部２０は、音声処理部３５に指示をして、音声入力端子３１ｂに入力される音声信号の代わりに、無音状態を表す音声信号を出力させることにより、プロジェクタ１の状態を音声の出力が停止した状態（音声ミュート状態）に切り換える。この結果、プロジェクタ１は、入力画像の表示と音声の出力が停止したＡ／Ｖミュート状態となる。
【００４０】
ステップＳ１０４では、制御部２０は、記憶部２１に記憶されているミュート情報２１ａを更新する。具体的には、画像入力端子３１ａ別に記憶されているミュート情報２１ａのうち、現在画像入力選択部３２で選択されている画像入力端子３１ａに関するミュート情報２１ａを、Ａ／Ｖミュート状態に切り換えられた旨を示す内容に更新する。その後、制御部２０は、フラグについてもＡ／Ｖミュート状態を示す内容に更新した後、フローを終了する。
【００４１】
一方、Ａ／Ｖミュート状態でミュートキーが操作され、ステップＳ１０５に移行した場合には、制御部２０は、画像処理部３４に指示をして、画像ミュート状態を解除させて入力画像の表示を再開させる。続くステップＳ１０６では、制御部２０は、音声処理部３５に指示をして、音声ミュート状態を解除させて音声の出力を再開させる。この結果、入力画像の表示と音声の出力が再開し、プロジェクタ１は、通常状態に復帰する。
【００４２】
ステップＳ１０７では、制御部２０は、記憶部２１に記憶されているミュート情報２１ａを更新する。具体的には、画像入力端子３１ａ別に記憶されているミュート情報２１ａのうち、現在画像入力選択部３２で選択されている画像入力端子３１ａに関するミュート情報２１ａを、通常状態に設定された旨を示す内容に更新する。その後、制御部２０は、フラグについても通常状態を示す内容に更新した後、フローを終了する。
【００４３】
上記のようにして更新されたミュート情報２１ａは、ユーザによって入力切換キーが操作された際に参照される。プロジェクタ１は、入力切換キーが操作されて画像入力端子３１ａが指定されると、画像入力端子３１ａ及び音声入力端子３１ｂの切り換えに先立ち、記憶部２１に記憶されているミュート情報２１ａに基づいて、Ａ／Ｖミュート状態又は通常状態への切り換えを行う。
【００４４】
図３は、入力切換キーが操作された際のプロジェクタ１の動作を説明するためのフローチャートである。ユーザが、画像入力端子３１ａを指定すべく、操作パネル２２又はリモコン２３の入力切換キーを操作し、この操作に応じた操作信号が制御部２０に入力されると、制御部２０は、図３に示すフローに従って動作する。
【００４５】
図３に示すように、ステップＳ２０１では、制御部２０は、記憶部２１に記憶されているミュート情報２１ａのうち、入力切換キーで指定された画像入力端子３１ａ、即ち新たに選択すべき画像入力端子３１ａに関するミュート情報２１ａを読み出す。
【００４６】
ステップＳ２０２では、制御部２０は、読み出したミュート情報２１ａがＡ／Ｖミュート状態を示すか否か、即ち新たに選択すべき画像入力端子３１ａがそれ以前に選択されていた際にＡ／Ｖミュート状態に切り換えられたか否かを判断する。そして、読み出したミュート情報２１ａがＡ／Ｖミュート状態を示す場合にはステップＳ２０３に移行し、読み出したミュート情報２１ａが通常状態を示す場合にはステップＳ２０６に移行する。
【００４７】
読み出したミュート情報２１ａがＡ／Ｖミュート状態を示し、ステップＳ２０３に移行した場合には、制御部２０は、フラグを参照して、現在のプロジェクタ１の状態がＡ／Ｖミュート状態であるか否かを判断する。そして、Ａ／Ｖミュート状態である場合にはステップＳ２０９に移行し、通常状態である場合にはステップＳ２０４に移行する。
【００４８】
読み出したミュート情報２１ａがＡ／Ｖミュート状態を示し、且つ現在のプロジェクタ１の状態が通常状態であってステップＳ２０４に移行した場合には、制御部２０は、画像処理部３４に指示をして画像ミュート状態に切り換えさせ、続くステップＳ２０５では、音声処理部３５に指示をして音声ミュート状態に切り換えさせる。この結果、プロジェクタ１は、入力画像の表示と音声の出力が停止したＡ／Ｖミュート状態となる。その後、制御部２０は、フラグをＡ／Ｖミュート状態に書き換えて、ステップＳ２０９に移行する。
【００４９】
ステップＳ２０２において、読み出したミュート情報２１ａが通常状態を示し、ステップＳ２０６に移行した場合には、制御部２０は、フラグを参照して、現在のプロジェクタ１の状態が通常状態であるか否かを判断する。そして、通常状態である場合にはステップＳ２０９に移行し、Ａ／Ｖミュート状態である場合にはステップＳ２０７に移行する。
【００５０】
読み出したミュート情報２１ａが通常状態を示し、且つ現在のプロジェクタ１の状態がＡ／Ｖミュート状態であってステップＳ２０７に移行した場合には、制御部２０は、画像処理部３４に指示をして画像ミュート状態を解除させ、続くステップＳ２０８では、音声処理部３５に指示をして音声ミュート状態を解除させる。この結果、入力画像の表示と音声の出力が再開し、プロジェクタ１は、通常状態となる。その後、制御部２０は、フラグを通常状態に書き換えて、ステップＳ２０９に移行する。
【００５１】
ステップＳ２０９では、制御部２０は、画像入力選択部３２に指示をして、入力切換キーで指定された画像入力端子３１ａを選択させる。続くステップＳ２１０では、制御部２０は、音声入力選択部３３に指示をして、指定された画像入力端子３１ａに対応する音声入力端子３１ｂを選択させて、フローを終了する。
【００５２】
この結果、ステップＳ２０１で読み出したミュート情報２１ａが通常状態を示す場合には、新たに選択された画像入力端子３１ａからの入力画像が画像投写部１０から投写され、この入力画像に対応する音声がスピーカ３７から出力される。一方、読み出したミュート情報２１ａがＡ／Ｖミュート状態を示す場合には、入力画像の表示と音声の出力は停止した状態となるが、その後でユーザがミュートキーを操作してＡ／Ｖミュート状態を解除すれば、新たに選択された画像入力端子３１ａからの入力画像が画像投写部１０から投写され、この入力画像に対応する音声がスピーカ３７から出力される。
【００５３】
次に、上述したプロジェクタ１の動作を、具体的事例に基づいて説明する。
図４（ａ）〜（ｅ）は、プロジェクタ１の動作を説明するための説明図であり、投写面Ｓに表示される画像を示す図である。
例えば、すべての画像入力端子３１ａのミュート情報２１ａが通常状態に設定され、この中の１つの画像入力端子３１ａ（入力１）が画像入力選択部３２に選択されている状況では、投写面Ｓには、この画像入力端子３１ａ（入力１）に入力されている画像信号に基づく入力画像Ｐ１が表示される（図４（ａ）参照）。この状態で、ユーザがミュートキーを操作すると、プロジェクタ１はＡ／Ｖミュート状態となって入力画像Ｐ１の表示が停止し、投写面Ｓには、黒色の無地画像Ｐｂが表示される（図４（ｂ）参照）。そして、この画像入力端子３１ａ（入力１）のミュート情報２１ａは、Ａ／Ｖミュート状態に設定される。
【００５４】
ここで、ユーザが入力切換キーを操作して、他の画像入力端子３１ａ（入力２）を指定すると、この画像入力端子３１ａ（入力２）のミュート情報２１ａは通常状態に設定されているため、プロジェクタ１は通常状態に復帰し、この画像入力端子３１ａ（入力２）に入力されている画像信号に基づく入力画像Ｐ２が投写面Ｓに表示される（図４（ｃ）参照）。その後、ユーザが再び入力切換キーを操作して、最初の画像入力端子３１ａ（入力１）を指定すると、この画像入力端子３１ａ（入力１）のミュート情報２１ａはＡ／Ｖミュート状態に設定されているため、プロジェクタ１はＡ／Ｖミュート状態となり、投写面Ｓには、黒色の無地画像Ｐｂが表示される（図４（ｄ）参照）。この状態で、ユーザがミュートキーを操作すれば、プロジェクタ１は通常状態に復帰し、投写面Ｓには、入力画像Ｐ１が表示される（図４（ｅ）参照）。
【００５５】
以上説明したように、本実施形態のプロジェクタ１によれば、以下の効果を得ることができる。
【００５６】
（１）本実施形態のプロジェクタ１によれば、記憶部２１には、画像ミュート状態に切り換えられたか否かを示すミュート情報２１ａが画像入力端子３１ａ別に記憶されている。そして、入力切換キーによって画像入力端子３１ａが指定されて画像入力選択部３２がこの画像入力端子３１ａを選択する際、制御部２０は、指定された画像入力端子３１ａのミュート情報２１ａに基づいて通常状態とＡ／Ｖミュート状態とを切り換える。つまり、画像入力選択部３２が新たな画像入力端子３１ａを選択する際には、以前この画像入力端子３１ａが選択されていたときの状態（通常状態又はＡ／Ｖミュート状態）が再現することになる。このため、所望の画像入力端子３１ａを予め画像ミュート状態に切り換えておけば、この画像入力端子３１ａが入力切換キーで指定された場合であっても、この画像入力端子３１ａに入力される画像信号に基づく入力画像が表示されてしまうことがなくなる。
【００５７】
（２）本実施形態のプロジェクタ１によれば、ミュートキーが操作されて画像の表示が停止する際に音声の出力も停止するため、特定の入力画像の表示を停止している際に、この入力画像に対応する音声が出力されてしまうことがなくなる。
【００５８】
（変形例）
また、上記実施形態は、以下のように変更してもよい。
【００５９】
上記実施形態では、Ａ／Ｖミュート状態において、黒色の無地画像を表示するようにしているが、Ａ／Ｖミュート状態のときに表示すべき画像は、黒色にも無地にも限定されず、入力画像が不可視（非表示）にさえなれば、いかなる画像を用いてもよい。
【００６０】
上記実施形態では、光変調装置として３つの液晶ライトバルブ１２Ｒ，１２Ｇ，１２Ｂを用いた３板式のプロジェクタ１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００６１】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００６２】
上記実施形態では、光源１１は、放電型の光源ランプ１１ａによって構成されているが、ＬＥＤ（Light Emitting Diode：発光ダイオード）光源等の固体光源や、その他の光源を用いることもできる。
【００６３】
上記実施形態では、画像表示装置として、光源１１から射出された光を変調して投写するプロジェクタ１を例にして説明しているが、透過型のスクリーンを一体的に備えたリアプロジェクタ、或いは、液晶ディスプレイ、プラズマディスプレイ、ＳＥＤ（Surface-conduction Electron-emitter Display）、有機ＥＬ（Electro Luminescence）ディスプレイ等に適用することも可能である。
【図面の簡単な説明】
【００６４】
【図１】プロジェクタの概略構成を示すブロック図。
【図２】ミュートキーが操作された際のプロジェクタの動作を説明するためのフローチャート。
【図３】入力切換キーが操作された際のプロジェクタの動作を説明するためのフローチャート。
【図４】（ａ）〜（ｅ）は、プロジェクタの動作を説明するための説明図であり、投写面に表示される画像を示す図。
【符号の説明】
【００６５】
１…プロジェクタ、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２１ａ…ミュート情報、２２…操作パネル、２３…リモコン、２４…操作信号受信部、３１…画像音声入力部、３１ａ…画像入力端子、３１ｂ…音声入力端子、３２…画像入力選択部、３３…音声入力選択部、３４…画像処理部、３５…音声処理部、３６…音声出力部、３７…スピーカ。
【図１】
2009271226.tif 000003
【図２】
2009271226.tif 000004
【図３】
2009271226.tif 000005
【図４】
2009271226.tif 000006